(57)【要約】【課題】容易に組立てて強固に接続する、ろくろの枢着構造を提供する。【解決手段】ろくろの枢着構造は、ろくろ１及び傘骨２を備える。前記ろくろ１は、上下２つの端面を有するとともに、複数の枢着溝１２が側部に形成される。各前記枢着溝１２には、前記傘骨２がそれぞれ枢着される。前記枢着溝１２は、前記ろくろ１の２つの端面に形成される。前記ろくろ１の一端面には、取付け面１１が設けられる。前記枢着溝１２は、前記取付け面１１に隣り合う一端に傾斜部１２２が設けられる。前記傘骨２の端部の一側には、前記傾斜部１２２が組み合わされる面取り部２２が設けられる。前記枢着溝１２の側壁上には、前記傘骨２が前記取付け面１１へ向けて移動することを防ぐ係合部が設けられる。【選択図】図１
0003217853.tif 000002
【実用新案登録請求の範囲】
【請求項１】
ろくろ及び傘骨を備えたろくろの枢着構造であって、
前記ろくろは、上下２つの端面を有するとともに、複数の枢着溝が側部に形成され、
前記枢着溝には、前記傘骨がそれぞれ枢着され、
前記枢着溝は、前記ろくろの２つの端面に形成され、
前記ろくろの一端面には、取付け面が設けられ、
前記枢着溝は、前記取付け面に隣り合う一端に傾斜部が設けられ、前記傘骨の端部の一側には、前記傾斜部が組み合わされる面取り部が設けられ、前記枢着溝の側壁上には、前記傘骨が前記取付け面へ向けて移動することを防ぐ係合部が設けられることを特徴とするろくろの枢着構造。
【請求項２】
枢着軸をさらに備え、
前記枢着軸は、前記傘骨の枢着端部に設けられ、
前記ろくろの前記取付け面上には、連通溝が形成され、
前記連通溝は、前記枢着溝の２つの側壁に形成され、
前記枢着軸は、前記連通溝に収容されることを特徴とする請求項１に記載のろくろの枢着構造。
【請求項３】
前記ろくろは、上ろくろ及び下ろくろを含み、
前記上ろくろの取付け面には、前記上ろくろの上端面が設けられ、
前記下ろくろの取付け面には、前記下ろくろの下端面又は上端面が設けられることを特徴とする請求項１に記載のろくろの枢着構造。
【請求項４】
前記傘骨の枢着端部には、枢着孔が形成され、
前記枢着溝の２つの側壁上には、枢着軸がそれぞれ設けられ、前記枢着軸と前記ろくろとが一体化構造に形成され、
前記枢着軸の端部には、取付け面に隣り合う一側に斜め面取り部が設けられ、
前記枢着軸は、前記枢着孔に嵌め込まれることを特徴とする請求項１に記載のろくろの枢着構造。
【請求項５】
前記枢着軸と１本又は複数本の前記傘骨とは、一体化構造に形成され、
前記一体化構造に形成された複数本の前記傘骨が対応する複数の前記枢着溝は、１つの前記連通溝を介して連通されることを特徴とする請求項２に記載のろくろの枢着構造。
【請求項６】
前記ろくろは、下ろくろを含み、
前記ろくろの前記取付け面は、前記下ろくろの下端面又は上端面に設けられ、
前記下ろくろ下には、プルスリーブが配設され、
前記プルスリーブの上端は、前記取付け面上の枢着孔を覆うことを特徴とする請求項１に記載のろくろの枢着構造。
【考案の詳細な説明】
【技術分野】
【０００１】
本考案は、晴雨傘に関し、特に、晴雨傘のろくろの枢着構造に関する。
【背景技術】
【０００２】
ろくろとは、一般に傘の上ろくろ及び／又は下ろくろの総称である。晴雨傘のろくろと傘骨との接続構造は、一般に傘骨をろくろ上の傘骨取付け溝に挿入してから１本の針金により全ての傘骨を一つなぎにし、針金の両端を絞り合わせてろくろ上に固定するが、このような構造では組立てに時間及び労力が多くかかった。また、ろくろ外周面の凹溝に通して縛った針金が傘骨の軸方向及び径方向の作用力を同時に受けると、疲労破断が起きて破断し、全ての傘骨がろくろから外れて傘形状の構造を保持することができなくなる虞もあった。
【考案の概要】
【考案が解決しようとする課題】
【０００３】
本考案の主な目的は、上述した従来技術の欠点を改善し、容易に組立てて強固に接続することができる、ろくろの枢着構造を提供することにある。
【課題を解決するための手段】
【０００４】
上記課題を解決するために、本考案の第１の形態によれば、ろくろ及び傘骨を備えたろくろの枢着構造であって、前記ろくろは、上下２つの端面を有するとともに、複数の枢着溝が側部に形成され、各前記枢着溝には、前記傘骨がそれぞれ枢着され、前記枢着溝は、前記ろくろの２つの端面に形成され、前記ろくろの一端面には、取付け面が設けられ、前記枢着溝は、前記取付け面に隣り合う一端に傾斜部が設けられ、前記傘骨の端部の一側には、前記傾斜部が組み合わされる面取り部が設けられ、前記枢着溝の側壁上には、前記傘骨が前記取付け面へ向けて移動することを防ぐ係合部が設けられることを特徴とするろくろの枢着構造が提供される。
【０００５】
枢着軸をさらに備え、前記枢着軸は、前記傘骨の枢着端部に設けられ、前記ろくろの前記取付け面上には、連通溝が形成され、前記連通溝は、前記枢着溝の２つの側壁に形成され、前記枢着軸は、前記連通溝に収容されることが好ましい。
【０００６】
前記ろくろは、上ろくろ及び下ろくろを含み、前記上ろくろの取付け面には、前記上ろくろの上端面が設けられ、前記下ろくろの取付け面には、前記下ろくろの下端面又は上端面が設けられることが好ましい。
【０００７】
前記傘骨の枢着端部には、枢着孔が形成され、前記枢着溝の２つの側壁上には、枢着軸がそれぞれ設けられ、前記枢着軸と前記ろくろとが一体化構造に形成され、前記枢着軸の端部には、取付け面に隣り合う一側に斜め面取り部が設けられ、前記枢着軸は、前記枢着孔に嵌め込まれることが好ましい。
【０００８】
前記枢着軸と１本又は複数本の前記傘骨とは、一体化構造に形成され、前記一体化構造に形成された複数本の前記傘骨が対応する複数の前記枢着溝は、１つの前記連通溝を介して連通されることが好ましい。
【０００９】
前記ろくろは、下ろくろを含み、前記ろくろの前記取付け面は、前記下ろくろの下端面又は上端面に設けられ、前記下ろくろ下には、プルスリーブが配設され、前記プルスリーブの上端は、前記取付け面上の枢着孔を覆うことが好ましい。
【考案の効果】
【００１０】
本考案のろくろの枢着構造は、傘骨がろくろの取付け面から枢着溝内に挿入されてろくろに枢着され、係合部により傘骨が枢着溝から外れることを防ぎ、取付け過程で針金を絞り合わせる必要がないため、組立が容易で、高効率である。
【図面の簡単な説明】
【００１１】
【図１】図１は、本考案の第１実施形態に係るろくろの枢着構造を示す分解斜視図である。
【図２】図２は、本考案の第１実施形態に係るろくろの枢着構造を示す断面図である。
【図３】図３は、本考案の第２実施形態に係るろくろの枢着構造を示す分解斜視図である。
【図４】図４は、本考案の第２実施形態に係るろくろの枢着構造を示す断面斜視図である。
【図５】図５は、本考案の第２実施形態に係るろくろの枢着構造の開傘構造を示す斜視図である。
【図６】図６は、本考案の第３実施形態に係るろくろの枢着構造を示す分解斜視図である。
【図７】図７は、本考案の第３実施形態に係るろくろの枢着構造を示す断面図である。
【図８】図８は、本考案の第４実施形態に係るろくろの枢着構造を示す分解斜視図である。
【図９】図９は、本考案の第４実施形態に係るろくろの枢着構造を示す説明図である。
【図１０】図１０は、本考案の第５実施形態に係るろくろの枢着構造を示す分解斜視図である。
【図１１】図１１は、本考案の第５実施形態に係るろくろの枢着構造を示す説明図である。
【図１２】図１２は、本考案の第５実施形態に係るろくろの枢着構造の内部構造を示す説明図である。
【考案を実施するための形態】
【００１２】
以下、本考案の実施形態について図に基づいて説明する。なお、これによって本考案が限定されるものではない。
【００１３】
（第１実施形態）
図１及び図２を参照する。図１及び図２に示すように、本考案の第１実施形態に係るろくろの枢着構造は、少なくともろくろ１及び傘骨２から構成されてなる。ろくろ１は、上下２つの端面を含む。ろくろ１の側部には、複数の枢着溝１２が形成される。第１実施形態に係るろくろの枢着構造は、６つの枢着溝１２を有する。各枢着溝１２には、１本の傘骨２がそれぞれ枢着される。枢着溝１２は、ろくろ１の上下２つの端面に形成される。ろくろ１の上端面又は下端面には、取付け面１１が形成される。枢着溝１２には、取付け面１１に隣り合う一端に傾斜部１２２が設けられる。傘骨２の端部の一側には、傾斜部１２２が組み合わされる面取り部２２が設けられる。面取り部２２と傾斜部１２２とを組み合わせ、傘骨２の枢着端を枢着溝１２内に挿入させる。枢着溝１２の２つの側壁上には、傘骨２が取付け面１１へ向けて移動することを防ぐ係合部１２１が設けられる。
【００１４】
傘骨２の枢着端部には、枢着孔２１が形成される。枢着溝１２の２つの側壁上には、枢着軸３がそれぞれ設けられる。枢着軸３とろくろ１とは一体化構造に形成される。枢着軸３の端部は、取付け面１１に隣り合う一側に斜め面取り部３１が設けられる。枢着軸３は、枢着孔２１に嵌め込まれる。枢着軸３は、係合部１２１として兼用してもよい。傘骨２は、斜め面取り部３１により２つの枢着軸３の間に容易に押し込むことができる。
【００１５】
実際に取付ける際、傘骨２を取付け面１１上の枢着溝１２に対向させ、傘骨２を枢着溝１２に押し込み、傘骨２の枢着孔２１内に係合部１２１を進入させて枢着させる。
【００１６】
図１に示すように、ろくろの枢着構造は、傘の上ろくろ及び／又は下ろくろ中に用いることができる。ろくろ１は、上ろくろ及び下ろくろを含む。上ろくろの取付け面１１には、上ろくろの上端面が設けられ、下ろくろの取付け面１１には、下ろくろの下端面又は上端面が設けられているため、容易に上ろくろの傘骨２を上面から圧入させ、下溝の傘骨２を下面から圧入させることができるため、作業員は容易に作業することができる。下ろくろ下には、プルスリーブ４が配設される。プルスリーブ４の上端は、下ろくろの取付け面１１上の枢着孔２１を覆う。
【００１７】
（第２実施形態）
図３〜図５に示すように、本考案の第２実施形態に係るろくろの枢着構造は、ろくろ１及び傘骨２を含む。ろくろ１は、上下２つの端面を含む。ろくろ１の側部には、複数の枢着溝１２が形成される。第２実施形態に係るろくろの枢着構造は、６つの枢着溝１２を有する。各枢着溝１２には、１本の傘骨２がそれぞれ枢着される。枢着溝１２には、ろくろ１の上下２つの端面が挿通される。ろくろ１の上端面又は下端面には、取付け面１１が設けられる。枢着溝１２は、取付け面１１に隣り合う一端に傾斜部１２２が設けられる。傘骨２の端部の一側には、傾斜部１２２に対応する面取り部２２が設けられる。面取り部２２と傾斜部１２２とが組み合わされるため、傘骨２の枢着端を枢着溝１２内に容易に挿入することができ、枢着溝１２の２つの側壁上には、傘骨２が取付け面１１へ向けて移動することを防ぐ係合部１２１が設けられる。ろくろ１の取付け面１１には、連通溝１３が形成される。連通溝１３は、枢着溝１２の２つの側壁に形成される。連通溝１３は、ろくろ１上の各枢着溝１２と連通する。傘骨２の端部上には、枢着軸３が設けられる。枢着軸３と傘骨２とは一体化構造に形成される。枢着軸３は連通溝１３内に収容される。
【００１８】
実際に取付ける際、傘骨２を取付け面１１上の枢着溝１２に対向させ、傘骨２の枢着軸３を連通溝１３に対向させ、傘骨２を係合部１２１に挿入して枢着溝１２内に押し込んで枢着させる。
【００１９】
図３を参照する。図３に示すように、ろくろの枢着構造は、傘の上ろくろ及び／又は下ろくろ中に用いることができる。ろくろ１は、上ろくろ及び下ろくろを含む。上ろくろの取付け面１１には、上ろくろの上端面が設けられる。下ろくろの取付け面１１には、下ろくろの下端面又は上端面が設けられる。下ろくろ下には、プルスリーブ４が設けられる。プルスリーブ４の上端は、下ろくろの取付け面１１上の枢着孔２１を覆う。
【００２０】
（第３実施形態）
図６及び図７を参照する。図６及び図７に示すように、本考案の第３実施形態に係るろくろの枢着構造は、少なくともろくろ１及び傘骨２から構成されてなる。ろくろ１は、上下２つの端面を含む。ろくろ１の側部には、複数の枢着溝１２が形成される。第３実施形態に係るろくろの枢着構造は、６つの枢着溝１２を有する。各枢着溝１２には、１本の傘骨２がそれぞれ枢着される。枢着溝１２は、ろくろ１の上下２つの端面に形成される。ろくろ１の上端面又は下端面には、取付け面１１が設けられる。枢着溝１２は、取付け面１１に隣り合う一端に傾斜部１２２が設けられる。傘骨２の端部の一側には、傾斜部１２２と組み合わせる面取り部２２が設けられる。面取り部２２と傾斜部１２２とを組み合わせ、傘骨２の枢着端を枢着溝１２内に挿入し、枢着溝１２の２つの側壁上には、傘骨２が取付け面１１へ向けて移動することを防ぐ係合部１２１が設けられる。ろくろ１の取付け面１１上には、連通溝１３が形成される。連通溝１３は、枢着溝１２の２つの側壁に形成される。傘骨２の端部には、枢着軸３が設けられる。枢着軸３は、連通溝１３内に収容される。傘骨２の枢着端部には、枢着孔２１が形成される。枢着軸３は、枢着孔２１に嵌め込まれる。
【００２１】
実際に取付ける際、傘骨２を取付け面１１上の枢着溝１２に対向させ、傘骨２上の枢着軸３を連通溝１３に対向させ、傘骨２を係合部１２１に挿通させて枢着溝１２内に押し込んで枢着させることができる。
【００２２】
図６を参照する。図６に示すように、ろくろの枢着構造は、傘の上ろくろ及び／又は下ろくろ中に用いてもよい。ろくろ１は、上ろくろ及び下ろくろを含む。上ろくろの取付け面１１には、上ろくろの上端面が設けられ、下ろくろの取付け面１１には、下ろくろの下端面又は上端面が設けられる。
【００２３】
（第４実施形態）
図８及び図９を参照する。図８及び図９に示すように、本考案の第４実施形態に係るろくろの枢着構造は、少なくともろくろ１及び傘骨２から構成されてなる。ろくろ１は、上下２つの端面を含む。ろくろ１の側部には、複数の枢着溝１２が形成される。各枢着溝１２には、１本の傘骨２がそれぞれ枢着される。枢着溝１２は、ろくろ１の上下２つの端面に形成される。ろくろ１の上端面又は下端面には、取付け面１１が設けられる。枢着溝１２は、取付け面１１に隣り合う一端に傾斜部１２２が設けられる。傘骨２の端部の一側には、傾斜部１２２と組み合わせる面取り部２２が設けられる。面取り部２２と傾斜部１２２とを組み合わせ、傘骨２の枢着端を枢着溝１２内に挿入し、枢着溝１２の２つの側壁上には、傘骨２が取付け面１１へ向けて移動することを防ぐ係合部１２１が設けられる。ろくろ１の取付け面１１上には、連通溝１３が形成される。連通溝１３は、枢着溝１２の２つの側壁に形成される。傘骨２の端部上には、枢着軸３が設けられる。枢着軸３は、連通溝１３内に収容される。各連通溝１３は、２つの枢着溝１２に連通し、連通溝１３と連通した２つの枢着溝１２内の２本の傘骨２と枢着軸３とが一体化構造に形成される。
【００２４】
実際に取付ける際、枢着軸３を連通溝１３に対向させ、傘骨２を枢着溝１２に対向させ、傘骨２をろくろ１の取付け面１１から係合部１２１に挿通させ、枢着溝１２内に押し込み、ろくろと傘骨との枢着構造の取付けを行う。
【００２５】
図８を参照する。図８に示すように、ろくろの枢着構造は、傘の上ろくろ及び／又は下ろくろ中に用いることができる。ろくろ１は、上ろくろ及び下ろくろを含む。上ろくろの取付け面１１には、上ろくろの上端面が設けられる。下ろくろの取付け面１１には、下ろくろの下端面又は上端面が設けられる。
【００２６】
（第５実施形態）
図１０〜図１２を参照する。図１０〜図１２に示すように、本考案の第５実施形態に係るろくろの枢着構造は、少なくともろくろ１及び傘骨２から構成されてなる。ろくろ１は、上下２つの端面を含む。ろくろ１の側部には、複数の枢着溝１２が形成される。第５実施形態に係るろくろの枢着構造は、８つの枢着溝１２を有する。各枢着溝１２には、１本の傘骨２がそれぞれ枢着される。枢着溝１２は、ろくろ１の上下２つの端面に形成される。ろくろ１の上端面又は下端面には、取付け面１１が設けられる。枢着溝１２は、取付け面１１に隣り合う一端に傾斜部１２２が設けられる。傘骨２の端部の一側には、傾斜部１２２が組み合わされる面取り部２２が設けられる。面取り部２２と傾斜部１２２とを組み合わせ、傘骨２の枢着端を枢着溝１２内に挿入し、枢着溝１２の２つの側壁上には、傘骨２が取付け面１１へ向けて移動することを防ぐ係合部１２１が設けられる。ろくろ１の取付け面１１上には、２本の連通溝１３が形成される。各連通溝１３内には、枢着軸３がそれぞれ挿入される。各連通溝１３には、４つの枢着溝１２がそれぞれ連通する。４つの枢着溝１２内の傘骨２は、枢着軸３とそれぞれ一体化された構造である。４本の傘骨２と枢着軸３とを一体化させ、４つの枢着溝１２及び１つの連通溝１３中に一緒に挿入させる。
【００２７】
実際に取付ける際、枢着軸３を連通溝１３に対向させ、傘骨２を枢着溝１２に対向させ、傘骨２をろくろ１の取付け面１１から係合部１２１に挿通させ、枢着溝１２内に押し込み、ろくろと傘骨との枢着構造の取付けを行う。
【００２８】
図１０を参照する。図１０に示すように、ろくろの枢着構造は、傘の上ろくろ及び／又は下ろくろ中に用いることができる。ろくろ１は、上ろくろ及び下ろくろを含む。上ろくろの取付け面１１には、上ろくろの上端面が設けられる。下ろくろの取付け面１１には、下ろくろの下端面又は上端面が設けられる。
【００２９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１  ろくろ
２  傘骨
３  枢着軸
４  プルスリーブ
１１  取付け面
１２  枢着溝
１３  連通溝
２１  枢着孔
２２  面取り部
３１  斜め面取り部
１２１  係合部
１２２  傾斜部
【図１】
0003217853.tif 000003
【図２】
0003217853.tif 000004
【図３】
0003217853.tif 000005
【図４】
0003217853.tif 000006
【図５】
0003217853.tif 000007
【図６】
0003217853.tif 000008
【図７】
0003217853.tif 000009
【図８】
0003217853.tif 000010
【図９】
0003217853.tif 000011
【図１０】
0003217853.tif 000012
【図１１】
0003217853.tif 000013
【図１２】
0003217853.tif 000014